(57)【特許請求の範囲】
【請求項１】
車両シートに配索され、各電気部品間の電気的接続を行う車両シート用ワイヤハーネスにおいて、
フラット形状の回路分岐部と、この回路分岐部に一端側が接続され、他端側が前記各電気部品に接続されるフラット回路体とから構成し、前記回路分岐部及び前記フラット回路体を支持する保護シートを設け、この保護シートを介して前記車両シート側に取り付け、かつ前記保護シートを前記車両シートのバネより下方に配置したことを特徴とする車両シート用ワイヤハーネス。
【請求項２】
請求項１記載の車両シート用ワイヤハーネスであって、
前記保護シートを前記車両シートのバネが最も下がる位置より下方に配置したことを特徴とする車両シート用ワイヤハーネス。
【発明の詳細な説明】
【０００１】
【発明の属する技術分野】
本発明は、車両シートに配索される車両シート用ワイヤハーネスに関する。
【０００２】
【従来の技術】
車両シートには、搭乗者の姿勢に合わせてシートクッションを前後方向及び上下方向に位置調整したり、シートバックをリクライニング動作させたりする電動シート装置や、エアバックを搭乗者とサイドドアとの間に展開させるエアバックユニット装置が設けられているものがあり、このような装置が搭載される車両シートにおいてはワイヤハーネスが配索される。
【０００３】
このような車両シートの従来のワイヤハーネス構造を図５を用いて説明する。図５において、車両シート１は、シートクッション側のシート骨格２と、シートバック側のシート骨格３とを有し、シートクッション側のシート骨格２にはメインスイッチＳＷ１、ランバーサポートスイッチＳＷ２、バックルスイッチＳＷ３等のスイッチ類と、シートクッションの位置及びシートバックの傾斜位置を調整する駆動源である第１〜第４モータＭ１〜Ｍ４とが設けられ、シートバック側のシート骨格３にはシートバックの背中当接位置を調整する駆動源である第５モータＭ５とエアバックユニット４とが設けられている。
【０００４】
そして、各モータＭ１〜Ｍ５には所定のスイッチＳＷ１〜ＳＷ３からの操作信号に基づく駆動信号及び電力供給を受けるために、各種スイッチＳＷ１〜ＳＷ３にはモータＭ１〜Ｍ５を制御するための操作信号を入力したり、電力供給を受けるために、エアバックユニット４に展開信号を出力したり、電力供給を受けるために、車両シート１にはワイヤハーネス５が配索されている。
【０００５】
このワイヤハーネス５は、例えば導電材の外周に絶縁材を覆った断面略円形の電線が束ねられたもので、同一ルート間に配索されるもの同士がコルゲートチューブやＶＯチューブ等の図示しない外装材にて覆われている。そして、この外装材で覆われた各ワイヤハーネス５は、適当な位置でクランプ部材６にてシート骨格２，３に固定されたり、タイバンド部材７にてシートクッションのバネ８に固定されている。つまり、ワイヤハーネス５は、外装材で覆うことで車両シート１との干渉ダメージを極力防止し、シート骨格２，３に固定することで適正な配索状態を保持するようにしている。
【０００６】
【発明が解決しようとする課題】
しかしながら、前記従来のワイヤハーネス５は、前述したように車両シート１との干渉ダメージを極力防止するべくワイヤハーネス５のほとんどを外装材で覆っているため、ワイヤハーネス５の製造において自動化を阻害する要因になっていた。
【０００７】
また、ワイヤハーネス５の車両シート１への組み付けは、各ワイヤハーネス５の適所をクランプ部材６やタイバンド部材７を用いて固定するため、固定箇所が多く、さらに、クランプ部材６とタイバンド部材７という２種類の固定部材を使用しなければならず、組み付け作業性が悪いという問題がある。
【０００８】
そこで、本発明は、前記した課題を解決すべくなされたものであり、車両シートとの干渉によるダメージを防止しつつ、ワイヤハーネス製造の自動生産化を拡大できると共に、車両シートへの組付け作業性を向上させることができる車両シート用ワイヤハーネスを提供することを目的とする。
【０００９】
【課題を解決するための手段】
請求項１の発明は、車両シートに配索され、各電気部品間の電気的接続を行う車両シート用ワイヤハーネスにおいて、フラット形状の回路分岐部と、この回路分岐部に一端側が接続され、他端側が前記各電気部品に接続されるフラット回路体とから構成し、前記回路分岐部及び前記フラット回路体を支持する保護シートを設け、この保護シートを介して車両シート側に取り付け、かつ前記保護シートを前記車両シートのバネより下方に配置したことを特徴とする。
【００１０】
この車両シート用ワイヤハーネスでは、保護シートによって回路分岐部とフラット回路体とが保護され、この保護された回路分岐部とこれより放射状に配置されるフラット回路体とによって各電気部品への電気配線がなされ、回路分岐部側で回路のジョイント処理が容易にできることからフラット回路体側で一切ジョイント処理の必要がなく、また、回路分岐部側でフラット回路体の接続位置が自由に設定され、フラット回路体が簡素な形態にされる。さらに、保護シートを車両シート側に取り付けることで車両シート用ワイヤハーネスの組付け作業がほぼ完了し、従来に比べて固定箇所が少ない状態で組み付けられる。さらに、回路分岐部及びフラット回路体が共にフラット形状であることから、保護シートが車両シートのバネより下方に配置して組み付けられる。
【００１３】
請求項２の発明は、請求項１記載の車両シート用ワイヤハーネスであって、前記保護シートを前記車両シートのバネが最も下がる位置より下方に配置したことを特徴とする。
【００１４】
この車両シート用ワイヤハーネスでは、請求項１の発明の作用に加え、回路分岐部及びフラット回路体が共にフラット形状であることから、保護シートが車両シートのバネが最も下がる位置である該バネの下死点（最下点）より下方に配置して組み付けられる。
【００１５】
【発明の実施の形態】
以下、本発明の一実施形態を図面に基づいて説明する。
【００１６】
図１及び図２は本発明の一実施形態を示し、この実施形態では電動シート装置等のワイヤハーネスに本発明の車両シート用ワイヤハーネスを適用した場合を示す。図１は電動シート装置等が搭載された車両シートの展開平面図、図２は電動シート装置等が搭載された車両シートの斜視図である。
【００１７】
図１及び図２に示すように、車両シート１０は、シートクッション１１側のシート骨格１２と、このシート骨格１２の後方で回転自在に設けられたシートバック１３側のシート骨格１４とを有し、シートクッション１１側のシート骨格１２にはメインスイッチＳＷ１、ランバーサポートスイッチＳＷ２、バックルスイッチＳＷ３などのスイッチ類（電気部品）と、シートクッション１１の位置及びシートバック１３の傾斜位置を調整する駆動源である第１〜第４モータ（電気部品）Ｍ１〜Ｍ４とが設けられている。シートバック１３側のシート骨格１４にはシートバック１３の背中当接位置を調整する駆動源である第５モータ（電気部品）Ｍ５とエアバックユニット（電気部品）１５とが設けられている。各モータＭ１〜Ｍ５は各クランプ部材１６によってシート骨格１２，１４に固定されている。また、シート骨格１２には車体側から電源供給を受けるための電気部品である電源供給用コネクタ１７が設けられている。
【００１８】
そして、各モータＭ１〜Ｍ５には所定のスイッチＳＷ１〜ＳＷ３からの操作信号に基づいて駆動信号を入力したり電力供給を受けるために、各種スイッチＳＷ１〜ＳＷ３には操作信号を出力したり電力供給を受けるために、電源供給用コネクタ１７には車体側からの電力を導くために、車両シート１０には車両シート用ワイヤハーネス２０が配索されている。
【００１９】
この車両シート用ワイヤハーネス２０は、フラット状の回路分岐部２１と、この回路分岐部２１に一端側が接続され、他端側が各電気部品であるモータＭ１〜Ｍ５やスイッチＳＷ１〜ＳＷ３や電源供給用コネクタ１７に接続されている複数のフラット回路体２２とから構成されている。つまり、車両シート用ワイヤハーネス２０は、回路分岐部２１を中心に放射状に各フラット回路体２２が配置されることによって各電気部品（モータＭ１〜Ｍ５、スイッチＳＷ１〜ＳＷ３、電源供給用コネクタ１７）間の電気的接続を行っている。
【００２０】
回路分岐部２１は、フレキシブルプリントサーキット（ＦＰＣ）やプレス型にて打ち抜き後にラミネート加工を施したダイスタンプタイプの回路体にてフラット形状に構成されている。そして、回路分岐部２１は、各フラット回路体２２にて導かれる各回路のジョイント処理を行っていると共に、各フラット回路体２２の一端側の接続位置が当該フラット回路体２２が接続される電気部品に配線引き回し容易な位置に設定されている。つまり、回路分岐部２１と各電気部品との接続ルートがストレート状や一回の折曲のみで良い簡素な形態となるような位置に設定されている。回路分岐部２１と各フラット回路体２２の一端側との接続は、端子を用いた圧接・圧着・所謂ピアッシングや、抵抗溶接、超音波溶接、半田付け、導電性接着剤等によって行う。
【００２１】
各フラット回路体２２は、フレキシブルフラットケーブル（ＦＦＣ）、フレキシブルプリントサーキット（ＦＰＣ）、導体の露出のないフラット電線等のフラット状の配線部材にて構成されている。各フラット回路体２２の他端側は各電気部品に各コネクタ２３を介して接続されている。
【００２２】
また、回路分岐部２１及びこの周辺の各フラット回路体２２の部分は、図３（ａ）に示す保護シートとしてのラミネートシート２４に支持されており、このラミネートシート２４の適所には、図示しないクランプ部材が取り付けられている。この各クランプ部材がシート骨格１２に固定され、回路分岐部２１及びフラット回路体２２はラミネートシート２４を介してシート骨格１２に組み付けられている。
【００２３】
さらに、ラミネートシート２４は車両シート１０のバネ１０ｓの下死点より下方に配置されており、この配置位置でシート骨格１２に固定されている。即ち、図４（ａ）〜図４（ｃ）に示すように、車両シート１０に荷重を加えた時、そのバネ１０ｓが最も下がる点を下死点（最下点）とした場合に、その位置より下にラミネートシート２４が所定クリアランスｔを有して位置することで両者の干渉を防ぐことができるようになっている。
【００２４】
図３（ａ）に示すように、回路分岐部２１と各フラット回路体２２を保護するラミネートシート（保護シート）２４は、樹脂層２４ａと、この樹脂層２４ａに塗布された熱可塑性接着剤や粘着剤等から成る接着層２４ｂで構成されている。そして、図３（ｂ）に示すように、各フラット回路体２２となる導体の露出のないフラット電線Ａや、導体Ｂを一対の絶縁層Ｃ，Ｃで挾んでなるＦＦＣやＦＰＣとラミネートシート２４の接着層２４ｂとが密着することで、回路分岐部２１と各フラット回路体２２の接続部Ｄへのテンションを防ぐことができ、該接続部Ｄを保護することができるようになっている。
【００２５】
さらに、ラミネートシート２４による骨格シート１２への固定によって形状保持できないおそれのある箇所については、従来と同様にクランプ部材６を用いてフラット回路体２がシート骨格１２，１４に固定されている。
【００２６】
前記したように、車両シート用ワイヤハーネス２０では、ラミネートシート２４によって回路分岐部２１とフラット回路体２２とが保護され、この保護された回路分岐部２１とこれより放射状に配置されるフラット回路体２２とによって各電気部品への電気配線がなされ、回路分岐部２１側で回路のジョイント処理が容易にできることからフラット回路体２２側で一切ジョイント処理の必要がなく、また、回路分岐部２１側でフラット回路体２２の接続位置を自由に設定でき、フラット回路体２２を簡素な形態にすることができる。
【００２７】
以上より、車両シート１０との干渉によるダメージを防止でき、且つ、回路分岐部２１を含めてフラット回路体２２の標準化が容易であり、ワイヤハーネス製造の自動生産化を拡大することができる。また、ラミネートシート２４を車両シート１０側に取り付けることで車両シート用ワイヤハーネス２０の組付け作業がほぼ完了し、従来に比べて固定箇所が少ない状態で組み付けることができ、組付け作用性を向上させることができる。
【００２８】
また、回路分岐部２１及びフラット回路体２２が共にフラット形状であることから、図４（ａ）〜図４（ｃ）に示すように、ラミネートシート２４を車両シート１０のバネ１０ｓの下死点より下方に配置するようにしたので、従来のように、バネ等へのタイバンド締結等が不要になり、全体の組付け作業性をより一段と向上させることができる。
【００２９】
尚、前記実施形態では、本発明を電動シート装置等のワイヤハーネスについて適用した場合を示したが、本発明の車両シート用ワイヤハーネスは車両シートに配索されるものであれば適用可能である。
【００３０】
【発明の効果】
以上説明したように、請求項１の発明によれば、車両シート用ワイヤハーネスを、フラット形状の回路分岐部と、この回路分岐部に一端側が接続され、他端側が各電気部品に接続されるフラット回路体とから構成し、これら回路分岐部及びフラット回路体を支持する保護シートを設け、この保護シートを介して車両シート側に取り付けたので、保護シートによって回路分岐部とフラット回路体とが保護され、この保護された回路分岐部とフラット回路体とによって各電気部品への電気配線がなされ、回路分岐部側で回路のジョイント処理が容易にできることからフラット回路体側で一切ジョイント処理の必要がなく、また、回路分岐部側でフラット回路体の接続位置を自由に設定することができ、フラット回路体を簡素な形態にすることができる。以上より、車両シートとの干渉によるダメージを防止することができ、且つ、回路分岐部を含めてフラット回路体の標準化が容易であり、ワイヤハーネス製造の自動生産化を拡大することができる。さらに、保護シートを車両シートのバネより下方に配置させて取り付けることで、車両シート用ワイヤハーネスのほぼ組付け作業が完了し、従来に比べて固定箇所が少ない状態で組み付けることができ、組付け作用性を向上させることができる。
【００３１】
請求項２の発明によれば、保護シートを車両シートのバネが最も下がる位置より下方に配置したので、請求項１の発明の効果に加え、従来のようにバネ等へのタイバンド締結等が不要になり、組付け作業性をより一段と向上させることができる。
【図面の簡単な説明】
【図１】本発明の一実施形態を示し、電動シート装置等が搭載された車両シートの展開平面図である。
【図２】本発明の一実施形態を示し、電動シート装置等が搭載された車両シートの斜視図である。
【図３】（ａ）は本発明の一実施形態の車両シートに用いられるラミネートシートの断面図、（ｂ）は同ラミネートシートによる回路分岐部と各フラット回路体の接続部の保護状態を示す断面図である。
【図４】（ａ）は本発明の一実施形態の車両シートに用いられるラミネートシートと該車両シートのバネとの関係を示す斜視図、（ｂ）は同（ａ）図のＸ−Ｘ線に沿う断面図、（ｃ）は車両シートに荷重を加えた時の同（ａ）図のＸ−Ｘ線に沿う断面図である。
【図５】従来例を示し、電動シート装置等が搭載された車両シートの展開平面図である。
【符号の説明】
１０  車両シート
１０ｓ  バネ
Ｍ１〜Ｍ５  モータ（電気部品）
ＳＷ１〜ＳＷ３  スイッチ（電気部品）
１７  電源供給用コネクタ（電気部品）
２０  車両シート用ワイヤハーネス
２１  回路分岐部
２２  フラット回路体
２４  ラミネートシート（保護シート）
【図１】
0003868749.tif 000002
【図２】
0003868749.tif 000003
【図３】
0003868749.tif 000004
【図４】
0003868749.tif 000005
【図５】
0003868749.tif 000006